(57)【特許請求の範囲】
【請求項１】
箱型に組み立てられた状態の折り畳みコンテナーの相対する長側壁の上部に、弾性板部材を配設するとともに、弾性板部材により、相対する長側壁を架橋する架橋紐を挟持することにより、箱型に組み立てられた状態の折り畳みコンテナーの相対する長側壁の外側への膨らみを防止するように構成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来、平面形状が略長方形に形成された底部の相対する長辺に、ヒンジ部を介して連結された長側壁と、同じく、底部の相対する短辺に、ヒンジ部を介して連結された短側壁とからなる、所謂、内倒れ式の折り畳みコンテナーが知られている。このような内倒れ式の折り畳みコンテナーの場合には、箱型に組み立てられた状態から、長側壁或いは短側壁の何方かを最初に、底部に重なるように倒し、次いで、残りの長側壁或いは短側壁を倒すことにことにより、折り畳むことができるように構成されている。
【０００３】
また、長側壁を、上下に分割した上部分割側壁と下部分割側壁とで構成するとともに、短側壁を、はね上げ側壁として構成した、所謂、はね上げ式の折り畳みコンテナーが知られている。このようなはね上げ式の折り畳みコンテナーの場合には、最初に、はね上げ側壁としての短側壁を、上方に略水平状態になるまで回動し、次いで、長側壁を構成する上部分割側壁と下部分割側壁とを重ねることにより、折り畳むことができるように構成されている。
【０００４】
【発明が解決しようとする課題】
上述した従来の箱型に組み立てられた折り畳みコンテナーに、種々の物品を収納した場合に、特に、短側壁に比べて、横幅の広い長側壁が、物品の重みにより、外側に膨らむことがある。このように、長側壁が、外側に膨らむと、折り畳みコンテナーを、上下方向に段積みする場合に、上に位置する折り畳みコンテナーの底部が、下に位置する折り畳みコンテナーの長側壁に、確実に載置されず不安定に段積みされることになり、下に位置する折り畳みコンテナーが損傷したり、或いは、上に位置する折り畳みコンテナーが崩れ落ちるというような問題が生じる。
【０００５】
本発明の目的は、上述した従来の折り畳みコンテナーが有する課題を解決することにある。
【０００６】
【課題を解決するための手段】
本発明は、上述した目的を達成するために、箱型に組み立てられた状態の折り畳みコンテナーの相対する長側壁の上部に、弾性板部材を配設するとともに、弾性板部材により、相対する長側壁を架橋する架橋紐を挟持することにより、箱型に組み立てられた状態の折り畳みコンテナーの相対する長側壁の外側への膨らみを防止するように構成したものである。
【０００７】
【実施例】
以下に、本発明の実施例について説明するが、本発明の趣旨を越えない限り何ら、本実施例に限定されるものでない。
【０００８】
先ず最初に、上述した内倒れ式の折り畳みコンテナーを用いて、本発明の折り畳みコンテナーを説明する。
【０００９】
１は、底部であり、２は、底部１に、公知のヒンジ部を介してヒンジ連結された長側壁であり、３は、同様に、底部１に、公知のヒンジ部を介してヒンジ連結された短側壁である。この実施例においては、図１に示されている箱型に組み立てられた状態から、先ず最初に、短側壁３を底部に重なるように倒した後、長側壁２を、底部１に重ねられた短側壁３の上に重ねることにより、折り畳むことができるように構成されている。２ａは、長側壁２の上面に突設された一対の嵌合突起であり、折り畳みコンテナーを、段積みする際に、下に位置する折り畳みコンテナーの長側壁２に形成された嵌合突起２ａが、上に位置する折り畳みコンテナーの底部１に形成された嵌合凹部に挿入されて、上に位置する折り畳みコンテナーが、下に位置する折り畳みコンテナーに対して、水平方向に移動しないように構成されている。勿論、このような嵌合突起２ａは、必ずしも、配設する必要はない。底部１や長側壁２や短側壁３は、それぞれ、合成樹脂で一体に成形されている。
【００１０】
２ｂは、長側壁２を構成する板状部であり、２ｃは、板状部２ｂの上端縁から外側に水平方向に延在する上部フランジであり、２ｄは、上部フランジ２ｃの直ぐ下に形成された第１上部水平リブであり、更に、２ｅは、上部水平リブ２ｄの下方に形成された第２上部水平リブである。２ｆは、板状部２ｂの下端部付近に形成された下部フランジであり、２ｇは、板状部２ｂの中央領域に形成された、上部フランジ２ｃ、下部フランジ２ｆ、第１上部水平リブ２ｄ及び第２上部水平リブ２ｅを連結する複数本の垂直リブであり、本実施例においては、１本の中央垂直リブ２ｇ１と中央垂直リブ２ｇ１の両側に形成された２本の側部垂直リブ２ｇ２とが形成されている。上記の上部フランジ２ｃ、第１上部水平リブ２ｄ、第２上部水平リブ２ｅ及び垂直リブ２ｇ等の板状部２ｂの外壁面に形成されたリブは、板状部２ｂの外壁面からの高さが同じ高さになるように構成されている。
【００１１】
４は、第１上部水平リブ２ｄと第２上部水平リブ２ｅとの略中間で、且つ、中央垂直リブ２ｇ１と一方の側部垂直リブ２ｇ２とを連結する、上述したリブと同じ高さを有する水平連結リブである。
【００１２】
Ｃは、先端部に湾曲部ｃ１が形成された、後述する架橋紐を挟持するための弾性板部材である。弾性板部材Ｃは、中央垂直リブ２ｇ１と、水平連結リブ４が連接されていない側部垂直リブ２ｇ２とに架橋されるように配置されるとともに、湾曲部ｃ１を含むその先端部が、水平連結リブ４の一部と重合するように配置し、その後、ボルト・ナットやネジ等の適当な固着具５、５や接着剤や溶着等により、長側壁２を構成する板状部２ｂに取着する。なお、ボルト・ナットやネジ等の適当な固着具５、５は、底部１や長側壁２や短側壁３と同様に、合成樹脂で成形されたものを使用することが好ましい。
【００１３】
上述したようにして、相対する長側壁２に、それぞれ、弾性板部材Ｃを取着することにより、水平連結リブ４と弾性板部材Ｃの湾曲部ｃ１との間に、楔状間隙Ｅが形成されることになる。
【００１４】
架橋紐Ｓの両端部には、結び目等の膨出部ｓ１が形成されており、架橋紐Ｓの一方の端部を、一方の長側壁２に取着された弾性板部材Ｃの湾曲部ｃ１側から、楔状間隙Ｅに挿入して、弾性板部材Ｃと水平連結リブ４とにより挟持するとともに、架橋紐Ｓの一端部に形成されている膨出部ｓ１を弾性板部材Ｃに係止させ、次いで、架橋紐Ｓのもう一方の端部を、同様に、もう一方の長側壁２に取着された弾性板部材Ｃの湾曲部ｃ１側から、楔状間隙Ｅに挿入して、弾性板部材Ｃと水平連結リブ４とにより挟持させるするとともに、架橋紐Ｓのもう一方の端部に形成されている膨出部ｓ１を弾性板部材Ｃに係止させ、相対する長側壁２を、架橋紐Ｓにより架橋する。
【００１５】
このような状態で、図１に示されているように、折り畳みコンテナーを箱型に組み立てた後、折り畳みコンテナーに物品を収納することになるが、相対する長側壁２は、架橋紐Ｓにより架橋されているので、折り畳みコンテナーに物品を収納し、内側から長側壁２に、物品の重みによる負荷が加わっても、長側壁２が、外側に膨らむようなことがない。従って、折り畳みコンテナーを、上下方向に段積みした場合でも、上に位置する折り畳みコンテナーの底部が、下に位置する折り畳みコンテナーの長側壁に、確実に載置されずに不安定に段積みされるようなことがなく、下に位置する折り畳みコンテナーが損傷したり、或いは、上に位置する折り畳みコンテナーが崩れ落ちるというような問題を防止することができる。また、長側壁２が、外側に膨らむようなことがないので、強度的に弱い、底部１と長側壁２をヒンジ連結するヒンジ部が損傷するようなことも防止できる。更に、長側壁２に嵌合突起２ａが形成されている場合にも、下に位置する折り畳みコンテナーの長側壁２に形成された嵌合突起２ａが、上に位置する折り畳みコンテナーの底部１に形成された嵌合凹部に、確実に挿入されることになる。
【００１６】
箱型に組み立てられた折り畳みコンテナーを、折り畳む場合にも、架橋紐Ｓは、屈曲自在であるので、折り畳みコンテナーから、架橋紐Ｓを取り外す必要もなく、架橋紐Ｓを、長側壁２に取り付けたまま、折り畳みコンテナーを折り畳むことができる。
【００１７】
なお、弾性板部材Ｃが取着される中央垂直リブ２ｇ１と水平連結リブ４が連接されていない側部垂直リブ２ｇ２の長側壁２の板状部２ｂからの高さを、弾性板部材Ｃの湾曲部ｃ１以外の平坦部ｃ２の厚み分だけ、低くすることにより、弾性板部材Ｃの湾曲部ｃ１のみが、上部フランジ２ｃ、第１上部水平リブ２ｄ、第２上部水平リブ２ｅ及び垂直リブ２ｇ等の板状部２ｂの外壁面に形成されたリブから突出することになるので、架橋紐Ｓを、上部フランジ２ｃ、第１上部水平リブ２ｄ、第２上部水平リブ２ｅ及び垂直リブ２ｇ等の板状部２ｂの外壁面に形成されたリブに沿って案内することにより、架橋紐Ｓを、容易に、水平連結リブ４と弾性板部材Ｃの湾曲部ｃ１との間に形成された楔状間隙Ｅに挿入し、弾性板部材Ｃと水平連結リブ４とにより挟持することができる。また、弾性板部材Ｃの全体が、上部フランジ２ｃ、第１上部水平リブ２ｄ、第２上部水平リブ２ｅ及び垂直リブ２ｇ等の板状部２ｂの外壁面に形成されたリブから突出しないように、弾性板部材Ｃが取着される中央垂直リブ２ｇ１と水平連結リブ４が連接されていない側部垂直リブ２ｇ２の長側壁２の板状部２ｂからの高さを、弾性板部材Ｃの全体に厚み分だけ、低くするように構成することもできる。
【００１８】
次に、図４及び図５を用いて、本発明の別の実施例について説明する。
【００１９】
本実施例においては、長側壁２の上部フランジ２ｃの中央領域に、上部フランジ２ｃの上面から下がった底面２ｃ１’と、底面２ｃ１’の両端部に形成されたた壁面２ｃ１”とからなる凹部２ｃ１が形成されている。この凹部２ｃ１の深さを、弾性板部材Ｃの平坦部ｃ２の厚さと略同じに形成し、弾性板部材Ｃの湾曲部ｃ１が、上部フランジ２ｃの上面から突出するように構成することも、また、凹部２ｃ１の深さを、弾性板部材Ｃの全体が、上部フランジ２ｃの上面から突出しないように構成することもできる。この凹部２ｃ１の底面２ｃ１’に、上述した先端部に湾曲部ｃ１が形成された弾性板部材Ｃを、同様に、ボルト・ナットやネジ等の適当な固着具５、５や接着剤や溶着等により取着する。そして、弾性板部材Ｃは、相対する長側壁２の上部フランジ２ｃの中央領域に取着されている。なお、本実施例においては、中央垂直リブ２ｇ１は、下部フランジ２ｆから第２上部水平リブ２ｅまで延在しており、また、水平連結リブ４は形成されていない。
【００２０】
上述したと同様に、架橋紐Ｓの一方の端部を、一方の長側壁２に取着された弾性板部材Ｃの湾曲部ｃ１側から、凹部２ｃ１の底面２ｃ１’と弾性板部材Ｃの湾曲部ｃ１との間に形成されている楔状間隙Ｅに挿入して、弾性板部材Ｃと長側壁２の上部フランジ２ｃとにより挟持するとともに、架橋紐Ｓの一端部に形成されている膨出部ｓ１を弾性板部材Ｃに係止させ、次いで、架橋紐Ｓのもう一方の端部を、同様に、もう一方の長側壁２に取着された弾性板部材Ｃの湾曲部ｃ１側から、楔状間隙Ｅに挿入して、弾性板部材Ｃと長側壁２の上部フランジ２ｃとにより挟持させるするとともに、架橋紐Ｓのもう一方の端部に形成されている膨出部ｓ１を弾性板部材Ｃに係止させて、相対する長側壁２を、架橋紐Ｓにより架橋する。なお、長側壁２の上部フランジ２ｃに凹部２ｃ１を形成することなく、上部フランジ２ｃの上面に、弾性板部材Ｃを取着することもできる。
【００２１】
なお、上述したように、凹部２ｃ１の深さを、弾性板部材Ｃの全体が、上部フランジ２ｃの上面から突出しないように形成し、弾性板部材Ｃが、長側壁２の上部フランジ２ｃの上面から突出しないように構成することが好ましい。このように構成することにより、箱型に組み立てられた折り畳みコンテナーを段積みする際に、弾性板部材Ｃが、段積みの邪魔になるようなことがなく、また、弾性板部材Ｃが、折り畳みコンテナーに当接したり、引っ掛かったりして、損傷するようなことを防止することができる。
【００２２】
なお、上述した弾性板部材Ｃの長側壁２の板状部２ｂへの取り付けや長側壁２の上部フランジ２ｃへの取り付けを、弾性板部材Ｃと別体のボルト・ナットやネジ等の適当な固着具５、５や接着剤や溶着等により行うこともできるが、弾性板部材Ｃに、弾性板部材Ｃと一体に係合突起を形成し、該係合突起を、長側壁２の板状部２ｂや上部フランジ２ｃに形成された係止孔に嵌合することにより、弾性板部材Ｃを、長側壁２に取り付けるように構成することもできる。
【００２３】
次に、図６及び図７を用いて、本発明の更に別の実施例について説明する。
【００２４】
６は、角柱状の取り付け部材であり、取り付け部材６の一方の側壁６ａには、長側壁２に形成されている第１上部水平リブ２ｄ或いは第２上部水平リブ２ｅの厚さと略同じ高さを有するとともに、第１上部水平リブ２ｄ或いは第２上部水平リブ２ｅの高さより、奥行きの深い水平溝６ｂが、取り付け部材６の全長に亘たって形成されている。また、取り付け部材６のもう一方の側壁６ｃには、上述した先端部に湾曲部ｃ１が形成された弾性板部材Ｃを、同様に、ボルト・ナットやネジ等の適当な固着具５、５や接着剤や溶着等により取着されており、そして、取り付け部材６のもう一方の側壁６ｃの側面とと弾性板部材Ｃの湾曲部ｃ１との間には、上述したと同様の楔状間隙Ｅが形成されている。
【００２５】
上述したような弾性板部材Ｃが取着された取り付け部材６を、取り付け部材６に形成された水平溝６ｂに、相対する長側壁２に形成されている第１上部水平リブ２ｄ或いは第２上部水平リブ２ｅを嵌入することにより、弾性板部材Ｃが取着された取り付け部材６を、長側壁２に、取り外し自在に取り付ける。架橋紐Ｓの取り付けは、上述した実施例と同じであるので、その説明は省略する。なお、長側壁２の上部フランジ２ｃに、弾性板部材Ｃが取着された取り付け部材６を取り付けることもできる。
【００２６】
なお、上述した弾性板部材Ｃの取り付け部材６への取り付けを、弾性板部材Ｃと別体のボルト・ナットやネジ等の適当な固着具５、５や接着剤や溶着等により行うこともできるが、弾性板部材Ｃに、弾性板部材Ｃと一体に係合突起を形成し、該係合突起を、取り付け部材６に形成された係止孔に嵌合することにより、弾性板部材Ｃを、取り付け部材６に取り付けるように構成することもできる。
【００２７】
【発明の効果】
本発明は、以上説明した構成を有しているので、以下に記載する効果を奏するものである。
【００２８】
箱型に組み立てられた状態の折り畳みコンテナーの相対する長側壁に、架橋紐を張設したので、長側壁に、収納された物品の重みによる負荷が加わっても、長側壁が、外側に膨らむようなことが防止できる。
【００２９】
架橋紐を、長側壁と弾性板部材の湾曲部に形成されている楔状間隙に挿入し、長側壁と弾性板部材により挟持するようにしたので、折り畳みコンテナーへの架橋紐の取り付け作業の作業性が向上する。
【図面の簡単な説明】
【図１】図１は本発明の折り畳みコンテナーの斜視図である。
【図２】図２は本発明の折り畳みコンテナーの部分拡大斜視図である。
【図３】図３は本発明の折り畳みコンテナーの弾性板部材を含む部分水平断面図である。
【図４】図４は本発明の折り畳みコンテナーの別の実施例の斜視図である。
【図５】図５は本発明の折り畳みコンテナーの弾性板部材を含む部分垂直断面図である。
【図６】図６は本発明の折り畳みコンテナーに配設される弾性板部材等の別の実施例の斜視図である。
【図７】図７は本発明の折り畳みコンテナーの更に別の実施例の部分斜視図である。
【符号の説明】
Ｃ・・・・・・・・・・・・弾性板部材
Ｅ・・・・・・・・・・・・楔状間隙
Ｓ・・・・・・・・・・・・架橋紐
１・・・・・・・・・・・・底部
２・・・・・・・・・・・・長側壁
３・・・・・・・・・・・・短側壁
４・・・・・・・・・・・・水平リブ
【図１】
0003914776.tif 000002
【図２】
0003914776.tif 000003
【図３】
0003914776.tif 000004
【図４】
0003914776.tif 000005
【図５】
0003914776.tif 000006
【図６】
0003914776.tif 000007
【図７】
0003914776.tif 000008